(57)【要約】      （修正有）【課題】使用者の外耳に掛けて設置でき、脱落または断裂を防止し、使用品質を高め、使用寿命を延長できる、イヤホン装置の位置決め構造を提供する。【解決手段】一端が音声出力装置に接続される導音管１と、導音管の末端に接続して設置された耳栓部２と、一端が導音管に連結された耳掛部３を含む。耳掛部は人体の外耳の形状に合う耳掛体３１を備え、耳掛体の一端に導音管に被着される少なくとも１つの鞘管３２が設置されている。また、耳掛体の上方の一端と後端面にそれぞれ鞘管が設置されているのが好ましい。使用時に、導音管が引っ張られたりしても鞘管が先に耳掛体に力を伝えるため、耳栓部の脱落を防止できる。【選択図】図１
0003189150.tif 000002
【実用新案登録請求の範囲】
【請求項１】
音声出力装置に接続するイヤホン装置の位置決め構造であって、
一端が音声出力装置に接続される導音管と、
前記導音管の末端に接続して設置された耳栓部と、
一端が前記導音管に連結された耳掛部を含み、
前記耳掛部を使用者の外耳に掛けて装着したとき、揺動により脱落しないよう位置決めされることを特徴とする、イヤホン装置の位置決め構造。
【請求項２】
前記耳掛部が人体の外耳の形状に合う耳掛体を備え、前記耳掛体の一端に前記導音管に被着される少なくとも１つの鞘管が設置されたことを特徴とする、請求項１に記載のイヤホン装置の位置決め構造。
【請求項３】
前記耳掛体の上方の一端と後端面にそれぞれ鞘管が設置されたことを特徴とする、請求項２に記載のイヤホン装置の位置決め構造。
【請求項４】
前記導音管が少なくとも一区間の弾性螺旋管を備えたことを特徴とする、請求項１に記載のイヤホン装置の位置決め構造。
【請求項５】
前記導音管が柔軟な管材で構成されたことを特徴とする、請求項１に記載のイヤホン装置の位置決め構造。
【請求項６】
前記導音管の末端外縁に挿入部が形成され、該挿入部に前記耳栓部が被着されたことを特徴とする、請求項１に記載のイヤホン装置の位置決め構造。
【請求項７】
前記耳栓部が前記導音管に連通された通孔を備えたことを特徴とする、請求項１に記載のイヤホン装置の位置決め構造。
【考案の詳細な説明】
【技術分野】
【０００１】
本考案は、使用者の外耳に掛けて使用するイヤホン装置において、耳栓部が使用時にうっかり過度に引っ張られたとき、容易に脱落または導音管の接続箇所から断裂して分離する、イヤホン装置の位置決め構造に関する。
【背景技術】
【０００２】
約１７００年前に、イタリアの科学者トリチェリにより「音は空気を媒体として伝達される」という観念が提示された。トリチェリは鈴の音を真空中では伝播できない実験を利用して自身の提示した主張を証明しようと考えたが、当時真空状態を作る技術が十分に成熟していなかったため、これを達成することができなかった。後にイギリスの物理学者ボイルが空気ポンプを発明し、鈴を取り付けた容器を真空にして再度実験を行い、トリチェリが提示した観念を実証した。音を発するすべてのものが振動によって音波を発生し、媒体を介して伝達される。
【０００３】
再生装置が発生する音声信号は、スピーカーや拡声器等が設置された音声出力装置により音声が出力され、かつ音声の振動伝播は放射状に広がるため、音声出力装置の出力が不足する場合、出力される音声を集中させて最良の伝声効率に到達させることができず、音声が容易に散逸してしまい、使用者が耳を音声出力装置に近づけないと、使用者が音声信号をはっきりと聞くことが困難になる。使用者に音声がはっきりと聞こえるようにするためには音声出力装置の出力を大きくする必要があるが、放射状に広がる音声を大きく出力すると周囲の使用者以外の人にも同時に音声情報が聞こえてしまい、使用者のプライベートな音声情報が公開され、使用者が困ってしまう。さらに、音声出力装置の出力が大きすぎると、使用者以外にとっては騒音となり、他人の迷惑となる。
【０００４】
上述の問題を解決するため、現在市販されているイヤホン装置は、導音管の一端に音声出力装置が接続され、かつ前記導音管の他端に使用者の耳の中に挿入される耳栓部が設けられている。これにより使用者が音声出力装置を起動すると、音声出力装置が発する音が導音管内の空気の振動により、音波が集中的に導音管内に沿って伝達され、かつ耳栓部を通して音声を直接使用者の耳内に入力し、使用者に聞かせることができ、かつ音波の伝送過程においては、導音管内に沿って前進するため、明確な指向目標があり、放射状に広がることがないため、出力された音が完全に集中されて最良の伝声効率を達することができる。またプライバシーが守られ、使用者以外に騒音を生じることがない。
【０００５】
しかしながら、上記従来のイヤホン装置は、使用時に使用者の耳の中に挿入された耳栓部が、重力や使用者の体の自然な揺動または導音管が正常な使用の範囲外の力で引っ張られることにより容易に脱落してしまい、導音管との接続箇所で断裂して分離してしまうことさえあり、使用者にとって使用上不便である。
【考案の概要】
【考案が解決しようとする課題】
【０００６】
本考案が解決しようとする課題は、使用者の外耳に掛けて設置でき、脱落または断裂を防止し、使用品質を高め、使用寿命を延長できる、イヤホン装置の位置決め構造を提供することにある。
【課題を解決するための手段】
【０００７】
上記課題を解決するために、本考案のイヤホン装置の位置決め構造は、一端が音声出力装置に接続された導音管と、前記導音管の末端に設置された耳栓部と、一端が前記導音管に接続された耳掛部を含む。
【考案の効果】
【０００８】
導音管の一端をスピーカー、拡声器等の音声出力装置に接続し、前記耳掛部を使用者の外耳に掛けて位置決めして、耳栓部を使用者の耳内に挿入すると、音声出力装置が発する音声が、前記導音管を介して耳栓部に伝達され、使用者に聞かせることができる。イヤホン装置で使用者が音を聞く過程において、耳掛部を使用者の外耳上に掛けて固定することにより、耳栓部が力を受けないようにすることで、重力や揺動による耳栓部の脱落を防止することができる。
【図面の簡単な説明】
【０００９】
【図１】本考案の実施例１を示すイヤホン装置の斜視図である。
【図２】本考案の実施例１を示すイヤホン装置の分解斜視図である。
【図３】本考案の実施例１を示すイヤホン装置の音声出力装置接続状態における斜視図である。
【図４】本考案の実施例１を示すイヤホン装置の使用状態における側面図である。
【図５】本考案の実施例２を示すイヤホン装置の音声出力装置接続状態における斜視図である。
【考案を実施するための形態】
【００１０】
以下、本考案の実施例を図面に基づいて詳細に説明する。
図１〜図４は、本考案の実施例１を示す。
図３に示すように、本考案に係るイヤホン装置は、音声出力装置に接続するために用いられる。音声出力装置はコネクタ４を接続できる再生装置を備え、コネクタ４の一端から導線５が延伸され、導線５の末端にスピーカー６が設けられる。導線５上には使用者の体に取り付けて便利に携帯して使用できるようにするための位置決めクリップ７を設置することができる。
【００１１】
イヤホン装置は、図１〜図３に示すように、導音管１、耳栓部２、耳掛部３を含んで構成される。
導音管１は柔軟な管材から構成され、導音管１の一端がスピーカー６に接続される。導音管１はその中段部に弾性螺旋管１１を備え、弾性的に引っ張って伸ばすことができる。また、導音管１の末端外縁に挿入部１２が形成される。
耳栓部２は導音管１末端の挿入部１２に被着される。耳栓部２内には導音管１に連通された通孔２１が設けられる。
耳掛部３は人体の外耳の形状に合わせた耳掛体３１を備え、耳掛体３１の上方の一端と後端面にそれぞれ導音管１に被着される鞘管３２が設置される。
【００１２】
イヤホン装置を使用する時は、まず導音管１の一端を音声出力装置のスピーカー６に接続し（図４）、導線５上の位置決めクリップ７を使用者の体に固定する。使用者がイヤホン装置を装着するときは、導音管１に被着された２つの鞘管３２の間隔を調整し、耳掛体３１のきつさを使用者の外耳の形状の大きさに合わせ、耳掛体３１を使用者の外耳上に掛けた後、耳栓部２を使用者の耳の中に挿入して固定する。
使用者が音声情報を聞くとき、音声情報がスピーカー６から出力され、導音管１に沿って伝達されて、最後に耳栓部２の通孔２１から使用者の耳の中に出力される。
【００１３】
使用時に、使用者の体が自然に揺動したり、うっかり導音管１が引っ張られたりしても、導音管１が受ける引っ張られる力は、弾性螺旋管１１の変形により初歩的な緩衝が得られ、さらに耳掛体３１の２つの鞘管３２が先に耳掛体３１上に力を伝えるため、使用者の外耳がこの力を受け、使用者の耳の中の耳栓部２に影響しない。耳栓部２が使用者の耳の中で重力の影響けたり、使用者の頭の揺れる動作によって緩んだりしても、耳掛体３１により支持され、導音管１とともに脱落するまでに至らない。
【００１４】
図５は、本考案の実施例２を示す。
実施例２では、導音管１に弾性螺旋管１１を設置せず、全部を直線管で構成してある。イヤホン装置を使用時に使用者の体の揺動や導音管１が引っ張られたときの力を耳掛体３１が受けることができる。
その他の構造は、実施例１と同様である。
【００１５】
上述をまとめると、本考案の実施例には次のような利点がある。
１．耳掛体３１を使用者の外耳に掛けて設置することで全体の位置決め機能を強化し、使用品質を増進することができる。
２．導音管１が引っ張られても、導音管１を引っ張る力が耳掛体３１の２つの鞘管３２によりまず耳掛体３１上に伝えられ、それにより耳栓部２と導音管１の接続箇所が引っ張られて断裂・分離することが防止され、全体の使用寿命を延長することができる。
３．耳栓部２が使用者の耳内で重力の影響を受けたり、使用者の頭の揺れる動作によって緩んだりしても、耳掛体３１により支持され、導音管１とともに脱落するまでに至らず、装着時の安定性を高めることができる。
【００１６】
以上は、本考案の最良の実施例を説明したものであり、これを以って本考案の権利範囲を限定することはなく、本考案の実用新案登録請求の範囲を逸脱しない変更や修飾はすべて本考案の権利範囲内に含まれる。
【符号の説明】
【００１７】
１        導音管
１１      弾性螺旋管
１２      挿入部
２        耳栓部
２１      通孔
３        耳掛部
３１      耳掛体
３２      鞘管
４        コネクタ
５        導線
６        スピーカー
７        位置決めクリップ
【図１】
0003189150.tif 000003
【図２】
0003189150.tif 000004
【図３】
0003189150.tif 000005
【図４】
0003189150.tif 000006
【図５】
0003189150.tif 000007